(57)【要約】      （修正有）【課題】歯間ブラシの取り替えを低コストで容易に行うことができ、使い勝手が良い歯間ブラシ用ケースを提供する。【解決手段】棒状体の長手方向に沿って複数の歯間ブラシ５１が切離可能に接続された歯間ブラシ集合体５０を収容する歯間ブラシ用ケース１であって、上部が開口し内部に取付部２０を有するケース本体１０と、歯間ブラシ集合体５０を保持した状態で取付部２０に着脱可能に取り付けられる保持体とを備え、保持体は、歯間ブラシ５１が外部に突出するように棒状体を一端側からスライド収容可能な収容部を有する。【選択図】図１
2020179042.tif 000002
【特許請求の範囲】
【請求項１】
棒状体の長手方向に沿って複数の歯間ブラシが切離可能に接続された歯間ブラシ集合体を収容する歯間ブラシ用ケースであって、
上部が開口し内部に取付部を有するケース本体と、
前記歯間ブラシ集合体を保持した状態で前記取付部に着脱可能に取り付けられる保持体とを備え、
前記保持体は、前記歯間ブラシが外部に突出するように前記棒状体を一端側からスライド収容可能な収容部を有する歯間ブラシ用ケース。
【請求項２】
前記ケース本体の底面に対して前記歯間ブラシ集合体を傾斜状態に保持する請求項１に記載の歯間ブラシ用ケース。
【請求項３】
前記保持体は、外面に突起部を有しており、前記突起部が前記ケース本体に当接することにより、前記歯間ブラシ集合体を傾斜状態に保持する請求項２に記載の歯間ブラシ用ケース。
【請求項４】
前記取付部は、互いに対向するように複数設けられており、一の前記取付部に前記保持体を介して取り付けられた前記歯間ブラシ集合体が、他の前記取付部に前記保持体を介して取り付けられた前記歯間ブラシ集合体の上方に、傾斜状態で配置される請求項１から３のいずれかに記載の歯間ブラシ用ケース。
【請求項５】
前記保持体は、前記棒状体と前記歯間ブラシとの間が通過するスリット状の連通部を有し、
前記連通部は、前記保持体の外周面との間が断面鋭角に形成されることで、スリット縁部に切断部が形成されており、
前記切断部により前記歯間ブラシを前記棒状体から切り離すことができる請求項１から４のいずれかに記載の歯間ブラシ用ケース。
【発明の詳細な説明】
【技術分野】
【０００１】
本発明は、歯間ブラシ用ケースに関する。
【背景技術】
【０００２】
従来の歯間ブラシ用ケースとして、特許文献１には、互いに並列配置された複数の歯間ブラシを切り離し可能に保持する連設用フレーム片を、ケース内に収容可能な構成が開示されている。連設用フレーム片は、係合突片やピン等の係合部を備えており、ケースに形成された孔部に係合部を係合させることにより、ケース内に着脱可能に取り付けられる。
【先行技術文献】
【特許文献】
【０００３】
【特許文献１】特開２００７−２０９５６７号公報
【発明の概要】
【発明が解決しようとする課題】
【０００４】
上記従来の歯間ブラシ用ケースは、歯間ブラシを連設用フレーム片から順次切り離して使用することができ、歯間ブラシを使い切ると、連設用フレーム片をケースから取り外して新たなものに取り替えることにより、引き続き使用することができる。
【０００５】
ところが、ケースに対して連設用フレーム片を着脱可能にするために、ケースの孔部に合わせて連設用フレーム片の係合部の位置や形状を精度良く定める必要があるため、製造コストが高くなり易いという問題があった。
【０００６】
そこで、本発明は、歯間ブラシの取り替えを低コストで容易に行うことができ、使い勝手が良い歯間ブラシ用ケースの提供を目的とする。
【課題を解決するための手段】
【０００７】
本発明の前記目的は、棒状体の長手方向に沿って複数の歯間ブラシが切離可能に接続された歯間ブラシ集合体を収容する歯間ブラシ用ケースであって、上部が開口し内部に取付部を有するケース本体と、前記歯間ブラシ集合体を保持した状態で前記取付部に着脱可能に取り付けられる保持体とを備え、前記保持体は、前記歯間ブラシが外部に突出するように前記棒状体を一端側からスライド収容可能な収容部を有する歯間ブラシ用ケースにより達成される。
【０００８】
この歯間ブラシ用ケースは、前記ケース本体の底面に対して前記歯間ブラシ集合体を傾斜状態に保持することが好ましい。前記保持体は、外面に突起部を有することが好ましく、前記突起部が前記ケース本体に当接することにより、前記歯間ブラシ集合体を傾斜状態に保持することができる。
【０００９】
前記取付部は、互いに対向するように複数設けることが可能であり、一の前記取付部に前記保持体を介して取り付けられた前記歯間ブラシ集合体を、他の前記取付部に前記保持体を介して取り付けられた前記歯間ブラシ集合体の上方に、傾斜状態で配置することができる。
【００１０】
前記保持体は、前記棒状体と前記歯間ブラシとの間が通過するスリット状の連通部を有することが好ましく、前記連通部は、前記保持体の外周面との間が断面鋭角に形成されることで、スリット縁部に切断部が形成されていることが好ましい。この構成によれば、前記切断部により前記歯間ブラシを前記棒状体から容易に切り離すことができる。
【発明の効果】
【００１１】
本発明によれば、歯間ブラシの取り替えを低コストで容易に行うことができ、使い勝手が良い歯間ブラシ用ケースを提供することができる。
【図面の簡単な説明】
【００１２】
【図１】本発明の一実施形態に係る歯間ブラシ用ケースの平面図である。
【図２】図１のＡ−Ａ断面図である。
【図３】図２の要部拡大図である。
【図４】図１に示す歯間ブラシ用ケースの要部斜視図である。
【図５】図１に示す歯間ブラシ用ケースの要部分解図である。
【図６】本発明の他の実施形態に係る歯間ブラシ用ケースの平面図である。
【図７】図６のＢ−Ｂ断面図である。
【図８】図７の要部拡大図である。
【発明を実施するための形態】
【００１３】
以下、本発明の実施の形態について、添付図面を参照して説明する。図１は、本発明の一実施形態に係る歯間ブラシ用ケースの平面図であり、図２は、図１のＡ−Ａ断面図である。図１および図２に示すように、本実施形態の歯間ブラシ用ケース１は、取付部２０を有するケース本体１０と、取付部２０に着脱可能に取り付けられる保持体３０とを備えており、複数の歯間ブラシ５１が並列配置された歯間ブラシ集合体５０を保持体３０に保持した状態で、保持体３０を取付部２０に取り付けることにより、歯間ブラシ集合体５０をケース本体１０内に収容することができる。歯間ブラシ用ケース１および歯間ブラシ集合体５０は、例えば合成樹脂を用いて射出成形を行うことにより、形成することができる。
【００１４】
ケース本体１０は、平面視矩形状に形成されており、上部開口が蓋体１１により開閉可能とされている。構成の理解を容易にするため、図１においては蓋体１１の図示を省略している。
【００１５】
ケース本体１０の基端側（図１および図２の左側）は、側壁の中央に切欠部が形成されており、切欠部の両側に形成された挿入部１２，１２に蓋体１１の回転軸１３が取り付けられることにより、蓋体１１が回動自在に支持されている。ケース本体１０の先端側には係合部１４が設けられており、係合部１４が蓋体１１の係合部と着脱可能に係合することにより、蓋体１１が閉じた状態に維持される。蓋体１１の内面には矩形状の鏡１５が固定されている。
【００１６】
取付部２０は、ケース本体１０内の基端側に配置されており、底面１０ａから起立してケース本体１０の基端縁に沿って延びる起立部２１を備えている。起立部２１の両側には、ケース本体１０の先端側に向けて屈曲部２２，２３が形成されており、互いに対向する屈曲部２２，２３の間が被覆部２４により覆われている。
【００１７】
保持体３０は、角筒状に形成されており、ケース本体１０の底面１０ａと、取付部２０の被覆部２４との間に挟持される。保持体３０の長手方向両端は、被覆部２４の屈曲部２２，２３によりカバーされる。
【００１８】
図３は、図２における取付部２０および保持体３０を拡大して示す断面図であり、図４は、保持体３０を斜め下方から見た斜視図である。図３および図４に示すように、保持体３０は角筒状に形成されており、保持体３０下側外面に、複数の突起部３１が長手方向に間隔をあけて配置されている。各突起部３１は、基端側から先端側に向けて厚みが徐々に大きくなるように形成されている。保持体３０は、取付部２０に取り付けられた状態で、被覆部２４の先端下部に設けられた突起状の係止部２５に係合すると共に、各突起部３１がケース本体１０の底面１０ａに当接することにより、下側外面が底面１０ａに対して傾斜した状態に維持される。
【００１９】
図４に示すように、保持体３０は、筒状の内部が収容部３２とされており、外面の先端側に連通部３３が形成されている。連通部３３は、収容部３２の一端３２ａから他端３２ｂまでスリット状に形成されており、一端３２ａ側には上下方向のスリット幅が広げられた切欠部３４が形成されている。図３に示すように、連通部３３は、収容部３２から保持体３０の外周面に向けてスリット幅が徐々に狭まるように断面テーパ状に形成されており、外周面との間が断面鋭角に形成されることで、連通部３３の上下のスリット縁部に切断部３３ａ，３３ａが形成されている。
【００２０】
図５は、保持体３０および歯間ブラシ集合体５０を分解した状態で示す平面図である。歯間ブラシ集合体５０は、先端側にブラシ状の清掃部５１ａを有する複数の歯間ブラシ５１が、角柱状の棒状体５２の長手方向に沿って並列配置されており、各歯間ブラシ５１と棒状体５２との間に切離部５３が形成されている。切離部５３は、棒状体５２から歯間ブラシ５１に向けて先細に形成されて両者を接続しており、歯間ブラシ５１を切離部５３の先端で切り離すことができる。棒状体５２は、例えば、射出成形時のランナーをそのまま使用することができる。
【００２１】
棒状体５２は、保持体３０の収容部３２内を摺動可能となるように、収容部３２に合わせて形状や大きさが設定されている。また、切離部５３は、連通部３３を通過できるように、棒状体５２よりも幅および高さが小さくなるように形成されており、歯間ブラシ５１を引き起こして保持体３０の切断部３３ａに切離部５３を押し当てることにより、歯間ブラシ５１を棒状体５２から容易に切り離すことができる。棒状体５２の一端部には把持部５４が設けられており、把持部５４を把持して棒状体５２の他端側を保持体３０の一端３２ａから挿入し、把持部５４を切欠部３４に配置することにより、保持体３０に対して歯間ブラシ５１が外部に突出する状態で、棒状体５２が保持体３０にスライド収容される。
【００２２】
上記の構成を備える歯間ブラシ用ケース１は、歯間ブラシ集合体５０を保持体３０に収容した後、保持体３０を取付部２０に対して先側から挿入することにより、歯間ブラシ集合体５０がケース本体１０内に固定され、歯間ブラシ５１を順次切り離して使用することができる。歯間ブラシ５１を使い切った後は、保持体３０を取付部２０から取り外し、棒状体５２を保持体３０から引き抜いて新たな歯間ブラシ集合体５０と取り替えることにより、再利用が可能である。
【００２３】
本実施形態の歯間ブラシ用ケース１は、ケース本体１０に対する歯間ブラシ集合体５０の取り付けを、歯間ブラシ集合体５０がスライド収容される保持体３０を介して行うことができるため、歯間ブラシ集合体５０の構成の簡素化を図ることができる。したがって、歯間ブラシ用ケース１の使い勝手を良好に維持しつつ、歯間ブラシ集合体５０の取り替えを低コストで容易に行うことができる。
【００２４】
また、本実施形態の歯間ブラシ用ケース１は、保持体３０が取付部２０に取り付けられることにより、ケース本体１０の底面１０ａに対して歯間ブラシ集合体５０が傾斜状態に保持されるため、歯間ブラシ５１を容易に摘んで棒状体５２から切り離すことができ、使い勝手をより向上させることができる。歯間ブラシ集合体５０の傾斜保持は、本実施形態においては保持体３０に設けられたテーパ状の突起部３１がケース本体１０の底面１０ａに当接することにより行われるが、歯間ブラシ集合体５０の取り出しを容易にする所望の傾斜角度に保持可能であれば、突起部３１の形状は特に限定されない。また、突起部３１は、必ずしも保持体３０に設ける必要はなく、ケース本体１０の底面１０ａ等に設けてもよい。上記の傾斜角度（底面１０ａに対する歯間ブラシ５１の軸線の傾斜角度）は、例えば３〜３０度に設定することができる。
【００２５】
図６は、本発明の他の実施形態に係る歯間ブラシ用ケースの平面図であり、図７は、図６のＢ−Ｂ断面図である。図６および図７に示す歯間ブラシ用ケース１’は、図１および図２に示す歯間ブラシ用ケース１において、ケース本体１０内に複数の取付部２０を互いに対向するように設けたものであり、各取付部２０に保持体３０を介して歯間ブラシ集合体５０をそれぞれ取り付けることができる。図６および図７において、図１および図２と同様の構成部分には同一の符号を付して、詳細な説明を省略する。
【００２６】
複数の歯間ブラシ集合体５０，５０は、清掃部５１ａ，５１ａ同士が互いに重なり合うように配置されており、ケース本体１０の一方側（図６および図７の左側）に配置された歯間ブラシ集合体５０は、図１および図２に示す構成と同様に、保持体３０の突起部３１がケース本体１０の底面１０ａに当接することにより、底面１０ａに対して傾斜状態に保持される。これに対し、ケース本体１０の他方側（図６および図７の右側）に配置された歯間ブラシ集合体５０は、図８に拡大図で示すように、保持体３０の突起部３１が被覆部２４と当接するように一方側の保持体３０とは上下を逆にすることで、底面１０ａに沿って水平状態に保持される。
【００２７】
このように、複数の歯間ブラシ集合体５０，５０を、他方に対して一方が傾斜するように配置することで、上方に配置された一方の歯間ブラシ集合体５０から順に使用することができる。したがって、使い勝手を良好に維持しつつ、多量の歯間ブラシ５１をコンパクトに収容することができる。また、複数の歯間ブラシ集合体５０，５０を互いに異なる種類にすることで、例えば、上方に配置された歯間ブラシ５１により広い隙間の清掃を行った後、下方に配置された歯間ブラシ５１により狭い隙間の清掃を行うことが可能であり、使用感を向上させることができる。
【００２８】
複数の歯間ブラシ集合体５０，５０の配置は、必ずしも図６から図８に示す構成に限定されるものではなく、例えば、複数の歯間ブラシ集合体５０，５０を底面１０ａに対して傾斜させて、それぞれの底面１０ａに対する傾斜角度が互いに相違するように構成することもできる。あるいは、複数の歯間ブラシ集合体５０，５０を上下で互いに平行になるように配置してもよい。
【符号の説明】
【００２９】
１，１’  歯間ブラシ用ケース
１０  ケース本体
１１  蓋体
２０  取付部
３０  保持体
３１  突起部
５０  歯間ブラシ集合体
５１  歯間ブラシ
５２  棒状体
【図１】
2020179042.tif 000003
【図２】
2020179042.tif 000004
【図３】
2020179042.tif 000005
【図４】
2020179042.tif 000006
【図５】
2020179042.tif 000007
【図６】
2020179042.tif 000008
【図７】
2020179042.tif 000009
【図８】
2020179042.tif 000010
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
棒状体の長手方向に沿って複数の歯間ブラシが切離可能に接続された歯間ブラシ集合体を収容する歯間ブラシ用ケースであって、
上部が開口し内部に取付部を有するケース本体と、
前記歯間ブラシ集合体を保持した状態で前記取付部に着脱可能に取り付けられる保持体とを備え、
前記保持体は、前記歯間ブラシが外部に突出するように前記棒状体を前記保持体の一端側から前記保持体の長手方向にスライド収容可能な収容部を有する歯間ブラシ用ケース。
【請求項２】
前記ケース本体の底面に対して前記歯間ブラシ集合体を傾斜状態に保持する請求項１に記載の歯間ブラシ用ケース。
【請求項３】
前記保持体は、外面に突起部を有しており、前記突起部が前記ケース本体に当接することにより、前記歯間ブラシ集合体を傾斜状態に保持する請求項２に記載の歯間ブラシ用ケース。
【請求項４】
前記取付部は、互いに対向するように複数設けられており、一の前記取付部に前記保持体を介して取り付けられた前記歯間ブラシ集合体が、他の前記取付部に前記保持体を介して取り付けられた前記歯間ブラシ集合体の上方に、傾斜状態で配置される請求項１から３のいずれかに記載の歯間ブラシ用ケース。
【請求項５】
前記保持体は、前記棒状体と前記歯間ブラシとの間が通過するスリット状の連通部を有し、
前記連通部は、前記保持体の外周面との間が断面鋭角に形成されることで、スリット縁部に切断部が形成されており、
前記切断部により前記歯間ブラシを前記棒状体から切り離すことができる請求項１から４のいずれかに記載の歯間ブラシ用ケース。
【手続補正２】
【補正対象書類名】明細書
【補正対象項目名】０００７
【補正方法】変更
【補正の内容】
【０００７】
本発明の前記目的は、棒状体の長手方向に沿って複数の歯間ブラシが切離可能に接続された歯間ブラシ集合体を収容する歯間ブラシ用ケースであって、上部が開口し内部に取付部を有するケース本体と、前記歯間ブラシ集合体を保持した状態で前記取付部に着脱可能に取り付けられる保持体とを備え、前記保持体は、前記歯間ブラシが外部に突出するように前記棒状体を前記保持体の一端側から前記保持体の長手方向にスライド収容可能な収容部を有する歯間ブラシ用ケースにより達成される。